(57)【要約】【課題】フォーカルプレンシャッタにおいて、駆動部材（羽根部材）をシャッタ動作前のセット位置にセットするセット部材が休止位置に戻る際の反動等を防止する。【解決手段】開口部１１ａを開閉するべく地板１０に移動自在に設けられた羽根部材２０，３０、羽根部材を駆動するべく一方向に付勢された駆動部材４０，６０、駆動部材を付勢力に抗してシャッタ動作前のセット位置にセットし得ると共に駆動部材を電磁石によりセット位置に吸着保持した後に休止位置に戻るように付勢されたセット部材１００、セット部材にセット動作を行わせる駆動機構１２０を備えたフォーカルプレンシャッタにおいて、セット部材が付勢力により休止位置に戻った際に、セット部材が逆向きに移動するのを規制する規制機構１３０を設けた。これにより、セット部材が休止位置に戻る際の反動等を防止でき、一連の制御シーケンスを短縮化できる。【選択図】図１
2015068901.tif 000002
【特許請求の範囲】
【請求項１】
露光用の開口部を有する地板と、前記開口部を開閉するべく前記地板に移動自在に設けられた羽根部材と、前記羽根部材を駆動するべく一方向に付勢された駆動部材と、前記駆動部材を付勢力に抗してシャッタ動作前のセット位置にセットし得ると共に前記駆動部材を電磁石により前記セット位置に吸着保持した後に休止位置に戻るように付勢されたセット部材と、前記セット部材にセット動作を行わせる駆動機構と、を備えたフォーカルプレンシャッタであって、
前記セット部材が付勢力により前記休止位置に戻った際に、前記セット部材が逆向きに移動するのを規制する規制機構を設けた、
ことを特徴とするフォーカルプレンシャッタ。
【請求項２】
前記駆動機構は、前記セット部材に連結されたリンク部材を含み、
前記規制機構は、前記セット部材が逆向きに移動するのを規制するべく前記リンク部材の移動を規制するように形成されている、
ことを特徴とする請求項１に記載のフォーカルプレンシャッタ。
【請求項３】
前記駆動機構は、前記リンク部材に連結された揺動部材と、前記揺動部材にカム作用を及ぼして移動させるべく回転する第１カム部材をさらに含み、
前記規制機構は、前記第１カム部材と同軸にて一体的に回転する第２カム部材と、前記セット部材が前記休止位置に戻った際に前記第２カム部材のカム作用により前記リンク部材の移動を規制し得る位置に位置付けられる係止部材を含む、
ことを特徴とする請求項２に記載のフォーカルプレンシャッタ。
【請求項４】
前記係止部材は、前記セット部材が前記セット位置へのセット動作を完了した時点で前記リンク部材の一部に接触しつつ前記リンク部材の移動を許容する接触位置に位置付けられ、前記セット部材が前記休止位置に戻った際に前記リンク部材の一部と対向して前記リンク部材の移動を規制し得る規制位置に位置付けられるように形成されている、
ことを特徴とする請求項３に記載のフォーカルプレンシャッタ。
【請求項５】
前記リンク部材は、前記セット部材が移動する面と平行な第１面内で移動するように形成され、
前記係止部材は、前記第１面に垂直な第２面内で移動するように形成されると共に、前記接触位置において、前記第２カム部材から離脱した状態で前記リンク部材の一部と接触するように付勢されている、
ことを特徴とする請求項４に記載のフォーカルプレンシャッタ。
【発明の詳細な説明】
【技術分野】
【０００１】
本発明は、露光用の開口部を開閉する羽根部材を有するフォーカルプレンシャッタに関し、デジタルカメラ等のカメラにおいて露光用の開口部を開閉するフォーカルプレンシャッタに関する。
【背景技術】
【０００２】
従来のフォーカルプレンシャッタとしては、露光用の開口部を有する略矩形の地板、地板の開口部を開閉するべく移動自在に形成された先羽根及び後羽根（羽根部材）、先羽根を駆動する先羽根用駆動部材、後羽根を駆動する後羽根用駆動部材、先羽根用駆動部材及び後羽根駆動部材にそれぞれ設けられた鉄片部材、先羽根用駆動部材（及び先羽根）と後羽根駆動部材（及び後羽根）をシャッタ動作前（露光動作前）のセット位置にセットするセット部材及びセット部材をセット動作前の休止位置に戻す戻しバネ、セット部材に連結されてセット動作のための駆動力を及ぼす駆動機構（リンク部材、伝達部材、歯車列、モータ等）、先羽根用駆動部材及び後羽根用駆動部材をセット位置に保持するべく鉄片部材を吸着し得る二つの電磁石等を備え、レリーズ直後の撮影開始直前（シャッタ動作前）において、電磁石の磁気的吸引力により鉄片部材に吸着作用を及ぼして先羽根用駆動部材（及び先羽根）及び後羽根用駆動部材（及び後羽根）をセット位置に吸着保持した後にセット部材を戻しバネの付勢力により休止位置に戻してセット動作を解除し、その後、電磁石による保持状態を順に解除して先羽根用駆動部材（及び先羽根）及び後羽根用駆動部材（及び後羽根）を走行させてシャッタ動作（露光動作）を行うようにしたものが知られている（例えば、特許文献１を参照）。
【０００３】
このフォーカルプレンシャッタにおいては、駆動機構によるセット動作の後に、戻しバネの付勢力によりセット部材を休止位置に戻す場合に、セット部材がストッパに当接した後に逆向きに移動する反動（バウンド）が発生し、このセット部材の反動（バウンド）が収斂するまで、羽根部材（先羽根及び後羽根）を走行させてシャッタ動作を行うことができず、それ故に、レリーズ動作から撮影完了までのタイムラグを短くすることができず、又、連写する際の連写速度を速めることもできず、一連の制御シーケンスの短縮化を妨げる要因となっていた。
【先行技術文献】
【特許文献】
【０００４】
【特許文献１】特開２００３−１０７５５９号公報
【発明の概要】
【発明が解決しようとする課題】
【０００５】
本発明は、上記の事情に鑑みて成されたものであり、その目的とするところは、構造の簡素化、小型化等を図りつつ、セット部材の反動を防止して、レリーズ動作から撮影完了までのタイムラグを短くすることができ、又、連写する際の連写速度を速めることができ、一連の制御シーケンスを短縮化できるカメラ用のフォーカルプレンシャッタを提供することにある。
【課題を解決するための手段】
【０００６】
本発明のフォーカルプレンシャッタは、露光用の開口部を有する地板と、開口部を開閉するべく地板に移動自在に設けられた羽根部材と、羽根部材を駆動するべく一方向に付勢された駆動部材と、駆動部材を付勢力に抗してシャッタ動作前のセット位置にセットし得ると共に駆動部材を電磁石によりセット位置に吸着保持した後に休止位置に戻るように付勢されたセット部材と、セット部材にセット動作を行わせる駆動機構と、を備えたフォーカルプレンシャッタであって、上記セット部材が付勢力により休止位置に戻った際に、セット部材が逆向きに移動するのを規制する規制機構を設けた、ことを特徴としている。
この構成によれば、駆動機構により駆動されてセット部材がセット動作を行い、駆動部材（及び羽根部材）がシャッタ動作前のセット位置にセットされると、駆動部材が電磁石によりセット位置に保持された後に、セット部材が（戻しバネ等の）付勢力により休止位置に戻されて駆動部材の機械的な規制が解除され、（電磁石の通電オフによる）羽根部材の走行を可能にする状態になる。
ここで、セット部材が付勢力により休止位置に戻った際に（休止位置においてストッパ等に当接した際に）、規制機構によりセット部材が逆向きに移動する反動（バウンド）が規制されるため、セット部材の休止位置への復帰後即座に羽根部材を走行させてシャッタ動作を完了させることができる。
これにより、レリーズ動作から撮影完了までのタイムラグを短くすることができ、又、連写する際の連写速度を速めることができ、一連の制御シーケンスを短縮化できる。
【０００７】
上記構成において、駆動機構は、セット部材に連結されたリンク部材を含み、規制機構は、セット部材が逆向きに移動するのを規制するべくリンク部材の移動を規制するように形成されている、構成を採用することができる。
この構成によれば、規制機構が、セット部材に連結された駆動機構の一部をなすリンク部材の移動を規制することでセット部材の反動を規制する、すなわち、駆動機構の一部をなす既存のリンク部材の移動を規制するため、セット部材の周りに新たな部品を追加することなく、構造の簡素化、小型化を達成しつつ、規制機構を設けることができる。
【０００８】
上記構成において、駆動機構は、リンク部材に連結された揺動部材と、揺動部材にカム作用を及ぼして移動させるべく回転する第１カム部材をさらに含み、規制機構は、第１カム部材と同軸にて一体的に回転する第２カム部材と、セット部材が休止位置に戻った際に第２カム部材のカム作用によりリンク部材の移動を規制し得る位置に位置付けられる係止合部材を含む、構成を採用することができる。
この構成によれば、例えば、第１カム部材が（例えば、駆動源としてのモータ等により）一方向に回転すると、揺動部材が一方向に移動すると共にリンク部材が一方向に移動して、セット部材がセット動作を行い、駆動部材（及び羽根部材）がセット位置にセットされ、第１カム部材がさらに回転してカム作用を解除すると、（戻しバネ等の）付勢力によりセット部材は休止位置に戻り、又、第２カム部材が一方向に回転してカム作用を解除すると、（付勢バネの付勢力により）係止部材が一方向に移動してリンク部材の移動を規制し得る位置に位置付けられる。
このように、第１カム部材と第２カム部材が同軸にて一体的に回転するように形成されているため、一つの駆動源の駆動力により両方のカム部材を回転させることができ、又、各々のカム部材が適宜カム作用を及ぼす相対的なタイミングを高精度に設定することができる。
【０００９】
上記構成において、係止部材は、セット部材がセット位置へのセット動作を完了した時点でリンク部材の一部に接触しつつリンク部材の移動を許容する接触位置に位置付けられ、セット部材が休止位置に戻った際にリンク部材の一部と対向してリンク部材の移動を規制し得る規制位置に位置付けられるように形成されている、構成を採用することができる。
この構成によれば、係止部材は、セット動作の完了時点でリンク部材の一部に接触した接触位置に保持されるため、セット部材が休止位置に戻ると即座に接触位置から規制位置に移動してリンク部材の移動を規制することができ、素早い動きで規制動作を行うことができる。
【００１０】
上記構成において、リンク部材は、セット部材が移動する面と平行な第１面内で移動するように形成され、係止部材は、第１面に垂直な第２面内で移動するように形成されると共に、接触位置において、第２カム部材から離脱した状態でリンク部材の一部と接触するように付勢されている、構成を採用することができる。
この構成によれば、係止部材は、リンク部材が移動する第１面と垂直な第２面内で、接触状態から離脱すると付勢力により即座に規制位置に移動することができ、セット部材の反動を確実に防止して、レリーズ動作から撮影完了までのタイムラグをより短くすることができる。
【発明の効果】
【００１１】
上記構成をなすフォーカルプレンシャッタによれば、構造の簡素化、小型化等を達成しつつ、セット部材の反動を防止して、レリーズ動作から撮影完了までのタイムラグを短くすることができ、又、連写する際の連写速度を速めることができ、一連の制御シーケンスを短縮化できるカメラ用のフォーカルプレンシャッタを得ることができる。
【図面の簡単な説明】
【００１２】
【図１】本発明に係るフォーカルプレンシャッタの一実施形態を示すものであり、セット部材が休止位置に戻り、係止部材が規制位置にあり、駆動部材（及び羽根部材）がシャッタ動作を完了した状態を示す平面図である。
【図２】図１に示す状態において、駆動部材、セット部材、駆動機構（リンク部材、揺動部材、第１カム部材等）及び規制機構（係止部材、第２カム部材等）等の部品のみを示す平面図である。
【図３】図１に示す状態において、駆動部材、セット部材、駆動機構（リンク部材、揺動部材、第１カム部材等）及び規制機構（係止部材、第２カム部材等）等の部品のみを示す側面図である。
【図４】図１に示すシャッタ動作完了の状態からカム部材（第１カム部材、第２カム部材）が回転して、係止部材が規制位置から規制を解除する解除位置に戻った状態を示す平面図である。
【図５】図４に示す状態において、駆動部材、セット部材、駆動機構（リンク部材、揺動部材、第１カム部材等）及び規制機構（係止部材、第２カム部材等）等の部品のみを示す側面図である。
【図６】図４に示す規制解除の状態からカム部材（第１カム部材、第２カム部材）が回転して、セット部材がセット動作を行って駆動部材（及び羽根部材）をセット位置にセットした（先羽根が開口部を閉鎖しかつ後羽根が開口部を開放した）状態を示す平面図である。
【図７】図６に示す状態において、駆動部材、セット部材、駆動機構（リンク部材、揺動部材、第１カム部材等）及び規制機構（係止部材、第２カム部材等）等の部品のみを示す平面図である。
【図８】図６に示す状態において、駆動部材、セット部材、駆動機構（リンク部材、揺動部材、第１カム部材等）及び規制機構（係止部材、第２カム部材等）等の部品のみを示す側面図である。
【図９】図６に示すセット動作完了の状態からカム部材（第１カム部材、第２カム部材）が回転して、係止部材がリンク部材の一部と接触しつつリンク部材の移動を許容する接触位置に位置付けられた状態を示す平面図である。
【図１０】図９に示す状態において、駆動部材、セット部材、駆動機構（リンク部材、揺動部材、第１カム部材等）及び規制機構（係止部材、第２カム部材等）等の部品のみを示す側面図である。
【図１１】図９に示す状態からカム部材（第１カム部材、第２カム部材）が回転して、セット部材が付勢力により休止位置に戻り、係止部材がリンク部材の一部と対向してリンク部材の移動を規制し得る規制位置に位置付けられた状態を示す平面図である。
【図１２】図１１に示す状態において、駆動部材、セット部材、駆動機構（リンク部材、揺動部材、第１カム部材等）及び規制機構（係止部材、第２カム部材等）等の部品のみを示す側面図である。
【発明を実施するための形態】
【００１３】
以下、本発明の実施形態について、添付図面を参照しつつ説明する。
この実施形態に係るフォーカルプレンシャッタは、図１ないし図３に示すように、地板１０、羽根部材としての先羽根２０及び後羽根３０、先羽根２０を駆動する駆動部材としての先羽根駆動レバー４０及び付勢バネ５０、後羽根３０を駆動する駆動部材としての後羽根駆動レバー６０及び付勢バネ７０、先羽根駆動レバー４０及び後羽根駆動レバー６０にそれぞれ設けられた被吸着部８０、先羽根駆動レバー４０及び後羽根駆動レバー６０の被吸着部８０に対して磁気的吸引力を及ぼすべくそれぞれ対応して設けられた二つの電磁石９０、先羽根駆動レバー４０及び後羽根駆動レバー６０をシャッタ動作前のセット位置にセットするセット部材１００、セット部材１００を休止位置に向けて回転付勢する付勢バネ１１０、セット部材１００にセット動作を行わせる駆動機構１２０（リンク部材１２１、揺動部材１２２、第１カム部材１２３、歯車列１２４、モータ１２５）、セット部材１００が休止位置に戻った際に逆向きに移動するのを規制する規制機構１３０（係止部材１３１、付勢バネ１３２、第２カム部材１３３）等を備えている。尚、地板１０には、上記各機構の裏側に先羽根２０を収容する羽根室を画定する中間板（不図示）及び後羽根３０を収容する羽根室を画定する裏板（不図示）が所定の間隔をおいて固定されている。
【００１４】
地板１０は、図１ないし図４に示すように、略矩形をなす露光用の開口部１１ａを画定する平板状の主地板１１及び主地板１１に対して所定の間隔をおいて固定された支持板１２を備えている。
主地板１１は、図１に示すように、開口部１１ａ、円弧状の長孔１１ｂ及び長孔１１ｃ、先羽根２０を回動自在に支持するべく羽根室側に立設された支軸１１ｄ，１１ｅ、後羽根３０を回動自在に支持するべく羽根室側に立設された支軸１１ｆ，１１ｇ、先羽根駆動レバー４０を回動自在に支持するべく羽根室の外側に立設された支軸１１ｈ、後羽根駆動レバー６０を回動自在に支持するべく羽根室の外側に立設された支軸１１ｉ、セット部材１００を回動自在に支持するべく羽根室の外側に立設された支軸１１ｊ等を備えている。
支持板１２は、図１に示すように、二つの電磁石９０を保持する保持部１２ａ，１２ｂ、支軸１１ｈ，１１ｉ，１１ｊを嵌合させて固定する嵌合孔１２ｃ，１２ｄ，１２ｅ、ネジにより主地板１１に固定する固定部１２ｆ，１２ｇ等を備えている。
【００１５】
先羽根２０は、図１及び図６に示すように、３枚の羽根本体２１，２２，２３、羽根本体２１，２２，２３を連結する２つのアーム２４，２５により構成されている。
アーム２４は、支軸１１ｄにより回動自在に支持されると共に、その一部が先羽根駆動レバー４０の駆動ピン４１に連結されている。
アーム２５は、支軸１１ｅにより回動自在に支持されている。
そして、アーム２４が、図６に示すように、先羽根駆動レバー４０により上方に向けて（反時計回りに）駆動されることにより、３枚の羽根本体２１，２２，２３が展開して開口部１１ａを閉鎖し、一方、図１に示すように、先羽根駆動レバー４０により下方に向けて（時計回りに）駆動されることにより、３枚の羽根本体２１，２２，２３が重なり合って開口部１１ａを開放するようになっている。
【００１６】
後羽根３０は、図１及び図６に示すように、３枚の羽根本体３１，３２，３３、羽根本体３１，３２，３３を連結する２つのアーム３４，３５により構成されている。
アーム３４は、支軸１１ｆにより回動自在に支持されると共に、その一部が後羽根駆動レバー６０の駆動ピン６１に連結されている。
アーム３５は、支軸１１ｇにより回動自在に支持されている。
そして、アーム３４が、図６に示すように、後羽根駆動レバー６０により上方に向けて（反時計回りに）駆動されることにより、３枚の羽根本体３１，３２，３３が重なり合って開口部１１ａを開放し、一方、図１に示すように、後羽根駆動レバー６０により下方に向けて（時計回りに）駆動されることにより、３枚の羽根本体３１，３２，３３が展開して開口部１１ａを閉鎖するようになっている。
【００１７】
先羽根駆動レバー４０は、図２及び図７に示すように、アーム２４が連結される駆動ピン４１、セット部材１００が係合して反時計回りに回転力が及ぼされる係合部４２、被吸着部８０を保持する保持部４３等を備えており、支軸１１ｈにより回動自在に支持されている。
駆動ピン４１は、主地板１１の長孔１１ｂに挿入されると共に、時計回りに回転した回転端において長孔１１ｂに固定されたゴム等の緩衝部材（不図示）に当接して停止するようになっている。
【００１８】
付勢バネ５０は、捩りコイルバネであり、図２及び図７に示すように、支軸１１ｈの周りに配置されており、一端部（不図示）が先羽根駆動レバー４０の一部に掛止され、他端部（不図示）が支軸１１ｈに先羽根駆動レバー４０と同軸に回転可能に配置されて支持板１２（のラチェット爪）により位置決めされる調整車（ラチェット筒）５５に掛止されて、先羽根駆動レバー４０を図２中の時計回りに回転付勢する付勢力を及ぼすように形成されている。
【００１９】
後羽根駆動レバー６０は、図２及び図７に示すように、アーム３４が連結される駆動ピン６１、セット部材１００が係合して反時計回りに回転力が及ぼされる係合部６２、被吸着部８０を保持する保持部６３等を備えており、支軸１１ｉにより回動自在に支持されている。
駆動ピン６１は、主地板１１の長孔１１ｃに挿入されると共に、時計回りに回転した回転端において長孔１１ｃに固定されたゴム等の緩衝部材（不図示）に当接して停止するようになっている。
【００２０】
付勢バネ７０は、捩りコイルバネであり、図２及び図７に示すように、支軸１１ｉの周りに配置されており、一端部（不図示）が後羽根駆動レバー６０の一部に掛止され、他端部（不図示）が支軸１１ｆに後羽根駆動レバー６０と同軸に回転可能に配置されて支持板１２（のラチェット爪）により位置決めされる調整車（ラチェット筒）７５に掛止されて、後羽根駆動レバー６０を図２中の時計回りに回転付勢する付勢力を及ぼすように形成されている。
【００２１】
被吸着部８０は、図２及び図７に示すように、電磁石９０の鉄芯部材９１に吸着される鉄片８１、鉄片８１を一方向に付勢する付勢バネ８２等により構成されている。
電磁石９０は、図１に示すように、支持板１２の保持部１２ａ，１２ｂに保持されており、所定の長さの鉄芯部材９１、鉄芯部材９１の周りおいてボビンに巻回された励磁用のコイル９２等により構成されている。
そして、コイル９２への通電により、鉄芯部材９１を通る磁力線を発生させて、対向する被吸着部８０（の鉄片８１）に対して磁気的吸引力を及ぼすようになっている。
【００２２】
セット部材１００は、図２及び図７に示すように、支軸１１ｊにより、羽根部材（２０，３０）が移動する面と平行な面内で回動自在に支持されており、先羽根駆動レバー４０の係合部４２に係合し得る係合部１０１、後羽根駆動レバー６０の係合部６２に係合し得る係合部１０２、駆動機構１２０のリンク部材１２１が連結される連結部１０３、付勢バネ１１０の一端部１１１が掛止される掛止部１０４等を備えている。
【００２３】
付勢バネ１１０は、捩りコイルバネであり、図２及び図７に示すように、支軸１１ｊの周りに配置されており、一端部１１１がセット部材１００の掛止部１０４に掛止され、他端部１１２が地板１０（主地板１１又は支持板１２）の一部１０ａに掛止されて、セット部材１００を図２中の反時計回りに回転付勢して休止位置に戻す付勢力を及ぼすように形成されている。
そして、セット部材１００は、駆動機構１２０が及ぼす駆動力により、付勢バネ１１０の付勢力に抗して図１及び図２に示す休止位置（露光動作完了位置）から時計回りに回転すると、係合部１０１が係合部４２に回転力を及ぼしかつ係合部１０２が係合部６２に回転力を及ぼして、図６及び図７に示すように、先羽根駆動レバー４０及び後羽根駆動レバー６０をそれぞれの付勢バネ５０，７０の回転付勢力に抗しつつ反時計回りに回転させてシャッタ動作前のセット位置にセットするセット動作を行い、一方、セット位置において先羽根駆動レバー４０が電磁石９０により吸着保持されかつ後羽根駆動レバー６０が電磁石９０により吸着保持された状態で、付勢バネ１１０の付勢力により反時計回りに回転して休止位置に戻ると、図１１及び図２に示すように、係合部１０１が係合部４２から離脱しかつ係合部１０２が係合部６２から離脱して、先羽根駆動レバー４０及び後羽根駆動レバー６０の時計回りの回転を許容する状態とするものである。
【００２４】
駆動機構１２０は、図１ないし図３に示すように、一部図示を省略した主地板１１上に配置されており、セット部材１００に連結されたリンク部材１２１、リンク部材１２１に連結された揺動部材１２２、揺動部材１２２にカム作用を及ぼす第１カム部材１２３、第１カム部材１２３（及び第２カム部材１３３）に回転力を伝達する歯車列１２４、歯車列１２４に噛合する駆動歯車１２５ａを有するモータ１２５等を備えている。
リンク部材１２１は、図１ないし図３に示すように、一端部１２１ａ、屈曲して形成されると共に長孔を有する他端部１２１ｂ、係止部材１３１の係合部１３１ａが接触し得る接触面１２１ｃ、接触面１２１ｃに隣接して形成され係止部材１３１の係合部１３１ａが対向して移動を規制し得る被係止部１２１ｄ等を備え、セット部材１００が移動（回動）する面と平行な第１面内で移動自在に支持されており、一端部１２１ａがセット部材１００の連結部１０３に連結され、他端部１２１ｂ（長孔）が揺動部材１２２の一端部１２２ａ（ピン）に連結されている。
接触面１２１ｃは、図９及び図１０に示すように、係止部材１３１が接触位置にあるとき、係合部１３１ａの平面部分と接触するように形成されている。
被係止部１２１ｄは、図２及び図３に示すように、係止部材１３１が規制位置にあるとき係合部１３１ａの縁部分と対向して移動が規制されるように形成されている。
揺動部材１２２は、図３に示すように、ピンを有する連結部１２２ａ、一部図示を省略した主地板１１の支軸に支持される枢支部１２２ｂ、第１カム部材１２３によりカム作用を受けるフォロワ部１２２ｃ等を備えており、リンク部材１２１が移動する第１面に垂直な第２面内で枢支部１２２ｂを支点として揺動するように形成されている。
第１カム部材１２３は、カメラ本体又は他の基板に設けられた支軸（不図示）が通される支軸孔１２３ａ、揺動部材１２２のフォロワ部１２２ｃに対してカム作用を及ぼす第１カム部１２３ｂを備えている。
そして、第１カム部１２３ｂは、図３示す状態→図５に示す状態→図８に示す状態に至るまで反時計回りに回転すると、揺動部材１２２及びリンク部材１２１を介して、セット部材１００を休止位置から時計回りに回転させてセット部材１００にセット動作を行わせ、さらに図１０に示す状態を経て図１２に示す状態に至るまで回転すると、揺動部材１２２に対するカム作用を解除して（フォロワ部１２２ｃから離脱して）、付勢バネ１１０の付勢力によりセット部材１００が休止位置に戻るのを許容するようになっている。
【００２５】
規制機構１３０は、図１ないし図３に示すように、リンク部材１２１の移動を規制し得る係止部材１３１、係止部材１３１を一方向に回転付勢する付勢バネ１３２、係止部材１３１に対してカム作用を及ぼす第２カム部材１３３等を備えている。
係止部材１３１は、図１ないし図３に示すように、リンク部材１２１の接触面１２１ｃに対して離脱可能に接触しかつ被係止部１２１ｄに対向して離脱可能に係合し得る係合部１３１ａ、一部図示を省略した主地板１１の支軸に支持される枢支部１３１ｂ、第２カム部材１３３によりカム作用を受けるフォロワ部１３１ｃ等を備えており、リンク部材１２１が移動する第１面に垂直な第２面内で枢支部１３１ｂを支点として揺動するように形成されている。
付勢バネ１３２は、枢支部１３１ｂの周りに配置された捩りコイルバネであり、一端部１３２ａが係止部材１３１の一部に掛止され、他端部１３２ｂが一部図示を省略した主地板１１に掛止されて、係止部材１３１を第２カム部材１３３に近づく向きに（図３中の時計回りに）回転付勢する付勢力を及ぼすように形成されている。
第２カム部材１３３は、カメラ本体又は他の基板に設けられた支軸（不図示）が通される支軸孔１３３ａ、係止部材１３１のフォロワ部１３１ｃに対してカム作用を及ぼす第２カム部１３３ｂを備えており、第１カム部材１２３と同軸にて一体的に回転するように形成されている。
【００２６】
そして、第２カム部１３３ｂは、図３示す状態を経て図５に示す状態に至るまで反時計回りに回転すると、フォロワ部１３１ｃにカム作用を及ぼして係止部材１３１を規制位置から反時計回りに回転させて規制を解除する解除位置まで移動させ、さらに図８に示す状態を経て図１０に示す状態に至るまで回転すると、係止部材１３１に対するカム作用を解除して（フォロワ部１３１ｃから離脱して）、付勢バネ１３２の付勢力により係止部材１３１の係合部１３１ａ（の平面部分）がリンク部材１２１の接触面１２１ｃに接触するのを許容し、さらに図１２に示す状態に至るまで回転すると、フォロワ部１３１ｃを係合させて係止部材１３１を規制位置（係合部１３１ａの縁部分が被係止部１２１ｄに対向する位置）に位置付けるようになっている。
ここでは、第２カム部材１３３が第１カム部材１２３と同軸にて一体的に回転するように形成されているため、一つの駆動源（モータ１２５）の駆動力により両方のカム部材（第１カム部材１２３、第２カム部材１３３）を回転させることができ、又、各々のカム部材（１２３、１３３）が適宜カム作用を及ぼす相対的なタイミングを高精度に設定することができる。
【００２７】
すなわち、第１カム部材１２３が、モータ１２５により一方向に回転すると、揺動部材１２２が一方向に移動すると共にリンク部材１２１が一方向に移動して、セット部材１００がセット動作を行い、先羽根駆動レバー４０（及び先羽根２０）及び後羽根駆動レバー６０（及び後羽根３０）がセット位置にセットされ、第１カム部材１２３がさらに回転してカム作用を解除すると、付勢バネ１１０の付勢力によりセット部材１００は休止位置に戻り、又、第２カム部材１３３が第１カム部材１２３と一緒に一方向に回転してカム作用を解除すると、付勢バネ１３２の付勢力により係止部材１３１が一方向に移動してリンク部材１２１の移動を規制し得る位置に位置付けられるようになっている。
このように、規制機構１３０が、セット部材１００に連結された駆動機構１２０の一部をなすリンク部材１２１の移動を規制することでセット部材１００の反動を規制する、すなわち、駆動機構１２０の一部をなすリンク部材１２１の移動を規制するため、セット部材１００の周りに新たな部品を追加することなく、構造の簡素化、小型化を達成しつつ、規制機構を設けることができる。
【００２８】
また、係止部材１３１は、セット部材１００がセット位置へのセット動作を完了した時点でリンク部材１２１の接触面１２１ｃに接触しつつリンク部材１２１の移動を許容する接触位置に位置付けられ、セット部材１００が休止位置に戻った際にリンク部材１２１の被係止部１２１ｄと対向してリンク部材１２１の移動を規制し得る規制位置に位置付けられるように形成されている、すなわち、係止部材１３１はセット動作の完了時点でリンク部材１２１の一部（接触面１２１ｃ）に接触した接触位置に保持されるため、セット部材１００が休止位置に戻ると即座に接触位置から規制位置に移動してリンク部材１２１の移動を規制することができ、素早い動きで規制動作を行うことができる。
さらに、係止部材１３１は、リンク部材１２１が移動する第１面に垂直な第２面内で移動するように形成され、接触位置において第２カム部材１３３から離脱した状態でリンク部材１２１の一部（接触面１２１ｃ）と接触するように付勢されているため、係止部材１３１は、リンク部材１２１が移動する第１面と垂直な第２面内で接触状態から離脱すると付勢バネ１３２の付勢力により即座に規制位置に移動することができ、それ故に、セット部材１００の反動を確実に防止して、レリーズ動作から撮影完了までのタイムラグをより短くすることができる。
【００２９】
次に、このフォーカルプレンシャッタの動作について説明する。
先ず、シャッタ動作完了後（露光動作完了後）の休止状態においては、図１ないし図３に示すように、セット部材１００は付勢バネ１１０の付勢力により反時計回りに回転して休止位置に位置し、先羽根駆動レバー４０は付勢バネ５０の回転付勢力により時計回りに回転して停止し、先羽根２０は開口部１１ａを開放した位置に位置し、又、後羽根駆動レバー６０は付勢バネ７０の回転付勢力により時計回りに回転して停止し、後羽根３０は開口部１１ａを閉鎖した位置に位置している。
この休止状態において、係止部材１３１は、図２及び図３に示すように、係合部１３１ａが被係止部１２１ｄに対向して、リンク部材１２１の移動を規制する規制位置に位置している。
【００３０】
ここで、露光動作前のセット動作の指令により、シャッタ動作の準備指令が発せられると、カム部材（第１カム部材１２３及び第２カム部材１３３）が一方向（反時計回り）に回転して、図５に示すように、先羽根２０及び後羽根３０並びにセット部材１００がそのままの状態で、係止部材１３１が解除位置に移動する（係合部１３１ａがリンク部材１２１の被係止部１２１ｄから逸脱した位置に移動する）。
そして、カム部材（第１カム部材１２３及び第２カム部材１３３）が一方向（反時計回り）にさらに回転すると、図６ないし図８に示すように、係止部材１３１が解除位置に保持された状態で、第１カム部材１２３が揺動部材１２２にカム作用を及ぼしてリンク部材１２１が移動し、セット部材１００が付勢バネ１１０の付勢力に抗して時計回りに回転して、係合部１０１が係合部４２に係合して先羽根駆動レバー４０を反時計回りに回転させ、先羽根２０が開口部１１ａを閉鎖する位置に移動し、係合部１０２が係合部６２に係合して後羽根駆動レバー６０を反時計回りに回転させ、後羽根３０が開口部１１ａを開放する位置に移動する。これにより、セット部材１００によるセット動作が完了する。
すなわち、先羽根駆動レバー４０（及び先羽根２０）がシャッタ動作前のセット位置（開口部１１ａを閉鎖した状態）に位置付けられ、後羽根駆動レバー６０（及び後羽根３０）がシャッタ動作前のセット位置（開口部１１ａを開放した状態）に位置付けられる。
【００３１】
続いて、レリーズ等の信号により、シャッタ動作（露光動作）の指令が発せられると、電磁石９０（のコイル９２）が通電され、鉄芯部材９１が被吸着部８０を磁気的吸引力により吸着し、時計回りに回転付勢する付勢バネ５０，７０の付勢力に抗して、先羽根駆動レバー４０及び後羽根駆動レバー６０をセット位置に確実に保持して位置決めする。
【００３２】
そして、図９及び図１０に示すように、カム部材（第１カム部材１２３及び第２カム部材１３３）が一方向（反時計回り）にさらに回転すると、先羽根２０及び後羽根３０並びにセット部材１００がそのままの状態で、係止部材１３１のフォロワ部１３１ｃが第２カム部材１３３のカム部１３３ｂから離脱し、付勢バネ１３２の付勢力により係止部材１３１は時計回りに回転して、係合部１３１ａ（の平面部分）がリンク部材１２１の接触面１２１ｃに接触しつつ、係止部材１３１はその接触した状態に保持される。
すなわち、係止部材１３１は、セット部材１００がセット位置へのセット動作を完了した時点で、リンク部材１２１の一部（接触面１２１ｃ）に接触しつつリンク部材１２１の移動を許容する接触位置に位置付けられる。
【００３３】
続いて、カム部材（第１カム部材１２３及び第２カム部材１３３）が一方向（反時計回り）にさらに回転すると、図１１及び図１２に示すように、先羽根２０及び後羽根３０がそのままの状態で、揺動部材１２２のフォロワ部１２２ｃが第１カム部材１２３の第１カム部１２３ｂから離脱して揺動部材１２２が自由に移動できるようになり、付勢バネ１１０の付勢力により、セット部材１００が休止位置に戻ると共にそれに連動してリンク部材１２１が移動し、係合部１３１ａと接触面１２１ｃとの接触が解除されて、係止部材１３１は付勢バネ１３２の付勢力により時計回りに回転して、フォロワ部１３１ｃが第２カム部１３３ｂに係合すると同時に、係合部１３１ａ（の縁部分）が被係止部１２１ｄに対向する規制位置に位置付けられて、セット部材１００が休止位置から逆向きに移動しようとする反動（バウンド）が規制される。
すなわち、係止部材１３１は、セット部材１００が休止位置に戻った際に、リンク部材１２１の一部（被係止部１２１ｄ）と対向してリンク部材１２１の移動を規制し得る規制位置に位置付けられる。
【００３４】
その後、二つの電磁石９０の通電がそれぞれ異なる所望のタイミングで断たれると、先ず、先羽根駆動レバー４０が付勢バネ５０の付勢力により時計回りに回転して先羽根２０が走行し、所定の時間間隔をおいて、後羽根駆動レバー６０が付勢バネ７０の付勢力により時計回りに回転して後羽根３０が走行し、図１に示すように、先羽根２０が開口部１１ａを開放しかつ後羽根３０が開口部１１ａを閉鎖する。
以上により、先羽根２０及び後羽根３０により、開口部１１ａの開閉動作が行われて、シャッタ動作（露光動作）が完了する。
【００３５】
上記のように、セット部材１００が付勢力により休止位置（セット動作前の位置）に戻った際に（休止位置においてストッパ等に当接した際に）、規制機構１３０（係止部材１３１）によりセット部材１００が逆向きに移動する反動（バウンド）が規制されるため、セット部材１００の休止位置への復帰後即座に羽根部材（先羽根２０及び後羽根３０）を走行させてシャッタ動作を完了させることができる。
このように、上記構成をなすフォーカルプレンシャッタによれば、構造の簡素化、小型化等を達成しつつ、セット部材１００の反動を防止して、レリーズ動作から撮影完了までのタイムラグを短くすることができ、又、連写する際の連写速度を速めることができ、一連の制御シーケンスを短縮化できるカメラ用のフォーカルプレンシャッタを得ることができる。
【００３６】
上記実施形態においては、先羽根２０及び後羽根３０を備えた構成において、先羽根駆動レバー４０及び後羽根駆動レバー６０に対して、本発明の構成（規制機構１３０）を採用した、すなわち二つの羽根部材を備えた構成において本発明を採用した場合を示したが、これに限定されるものではなく、例えば、一つの羽根部材を備え、単に開口部を開放した状態から閉鎖した状態に移動することでシャッタ動作を行う構成において本願明を採用することもできる。
上記実施形態においては、規制機構として、係止部材１３１、付勢バネ１３２、第２カム部材１３３等を備えた構成を採用した場合を示したが、これに限定されるものではなく、セット部材１００の反動を規制できるものであれば、その他の構成をなす規制機構を採用することができる。
上記実施形態においては、駆動機構として、リンク部材１２１、揺動部材１２２、第１カム部材１２３等を備えた構成を採用した場合を示したが、これに限定されるものではなく、セット部材にセット動作を行わせるものであれば、その他の構成をなす駆動機構を採用することができる。
上記実施形態においては、駆動部材として、所定の軸線回りに回動する先羽根駆動レバー４０及び後羽根駆動レバー６０を採用し、セット部材として、所定の軸線回りに回動するセット部材１００を採用した場合を示したが、これに限定されるものではなく、その他の形態をなす駆動部材及びセット部材において、本発明を適用してもよい。
【産業上の利用可能性】
【００３７】
以上述べたように、本発明のフォーカルプレンシャッタは、構造の簡素化、小型化等を達成しつつ、セット部材の反動を防止して、レリーズ動作から撮影完了までのタイムラグを短くすることができ、連写する際の連写速度を速めることができ、一連の制御シーケンスを短縮化できるため、銀塩フィルム式のカメラ、デジタルカメラ等のカメラに適用できるのは勿論のこと、その他の露光用の開口部を備えた光学機器に対しても有用である。
【符号の説明】
【００３８】
１０  地板
１１ａ  開口部
２０  先羽根（羽根部材）
３０  後羽根（羽根部材）
４０  先羽根駆動レバー（駆動部材）
５０  付勢バネ
６０  後羽根駆動レバー（駆動部材）
７０  付勢バネ
８０  被吸着部
９０  電磁石
１００  セット部材
１１０  付勢バネ
１２０  駆動機構
１２１  リンク部材
１２１ｃ  接触面
１２１ｄ  被係止部
１２２  揺動部材
１２２ｂ  フォロワ部
１２３  第１カム部材
１２３ｂ  第１カム部
１３０  規制機構
１３１  係止部材
１３１ｂ  フォロワ部
１３１ａ  係合部
１３２  付勢バネ
１３３  第２カム部材
１３３ｂ  第２カム部
【図１】
2015068901.tif 000003
【図２】
2015068901.tif 000004
【図３】
2015068901.tif 000005
【図４】
2015068901.tif 000006
【図５】
2015068901.tif 000007
【図６】
2015068901.tif 000008
【図７】
2015068901.tif 000009
【図８】
2015068901.tif 000010
【図９】
2015068901.tif 000011
【図１０】
2015068901.tif 000012
【図１１】
2015068901.tif 000013
【図１２】
2015068901.tif 000014